【手続補正書】
【提出日】平成27年6月8日(2015.6.8)
【手続補正１】
【補正対象書類名】特許請求の範囲
【補正対象項目名】全文
【補正方法】変更
【補正の内容】
【特許請求の範囲】
【請求項１】
再送信フィードバックリソースを判断するための方法であって、
物理制御チャネル上でダウンリンクリソース割当てを受信することと、
再送信フィードバックリソースのための領域に関係するオフセットを取得することであって、前記オフセットが、前記物理制御チャネルのタイプに基づいて判断される、取得することと、
前記ダウンリンクリソース割当てと前記オフセットとに関係するリソースのインデックスに基づいて、前記ダウンリンクリソース割当て上で受信された通信のための再送信フィードバックを通信するためのリソースを判断することと、
前記リソース上で前記通信のための再送信フィードバックを送信することとを備える、方法。
【請求項２】
前記制御チャネルの前記タイプが拡張物理ダウンリンク制御チャネル（ｅ−ＰＤＣＣＨ）であり、前記インデックスは、前記ダウンリンクリソース割当てがそれによって受信されるインデックス、または前記ダウンリンクリソース割当て中の前記リソースのインデックスのうちの１つに対応する、請求項１に記載の方法。
【請求項３】
前記インデックスが、前記ｅ−ＰＤＣＣＨによって利用される開始拡張制御チャネル（ｅＣＣＥ）インデックスに対応するｅＣＣＥインデックスである、請求項２に記載の方法。
【請求項４】
ｅＣＣＥをインデックス付けすることをさらに備え、ｅＣＣＥの前記インデックス付けは、２つ以上のダウンリンクサブフレームが再送信フィードバックのために同じアップリンクサブフレームに関連付けられる連続方法で、前記２つ以上のダウンリンクサブフレームにわたって実行される、請求項３に記載の方法。
【請求項５】
ｅＰＤＣＣＨのためのリソースの２つ以上のセットを受信することをさらに備え、前記インデックス付けが、前記２つ以上のセットの各々について別個に実行される、請求項４に記載の方法。
【請求項６】
前記オフセットがユニキャストメッセージに基づいて判断される、請求項３に記載の方法。
【請求項７】
前記ｅ−ＰＤＣＣＨが、分散ｅ−ＰＤＣＣＨまたは局所ｅ−ＰＤＣＣＨのうちの少なくとも１つである、請求項２に記載の方法。
【請求項８】
リソースを判断することが、さらに、前記ｅＰＤＣＣＨによって使用されるアンテナポートインデックスに部分的に基づく、請求項２に記載の方法。
【請求項９】
前記ダウンリンクリソース割当てに関係するスクランブリング識別子に少なくとも部分的に基づいて前記リソースを判断することをさらに備える、請求項２に記載の方法。
【請求項１０】
前記制御チャネルの前記タイプが、レガシー物理ダウンリンク制御チャネル（ＰＤＣＣＨ）であり、前記インデックスは、前記ダウンリンクリソース割当てがそれによって受信されるインデックスのうちの１つに対応する、請求項１に記載の方法。
【請求項１１】
前記インデックスが、前記ＰＤＣＣＨによって利用される開始制御チャネル要素（ＣＣＥ）インデックスに対応するＣＣＥインデックスである、請求項１０に記載の方法。
【請求項１２】
前記オフセットがブロードキャストメッセージに基づいて判断される、請求項１０に記載の方法。
【請求項１３】
物理制御フォーマット指示チャネル（ＰＣＦＩＣＨ）または拡張物理制御フォーマット指示チャネル（ｅ−ＰＣＦＩＣＨ）のうちの少なくとも１つ上に前記リソースを備える領域のロケーションに関係する情報を受信することであって、前記オフセットが前記ＰＣＦＩＣＨまたは前記ｅ−ＰＣＦＩＣＨに依存する、受信することをさらに備える、請求項１に記載の方法。
【請求項１４】
前記オフセットがサブフレームにおいて割当てられたいくつかのダウンリンクリソースに一部基づいている、請求項１に記載の方法。
【請求項１５】
リソースを判断することが、複数のリソースを判断することを備え、前記方法がさらに、
拡張物理ダウンリンク制御チャネル（ｅ−ＰＤＣＣＨ）中のインジケータを取得することと、
前記インジケータに基づいて前記複数のリソースのうちの１つを選択することとを備える、請求項１に記載の方法。
【請求項１６】
前記複数のリソースが無線リソース制御（ＲＲＣ）によって構成された、請求項１５に記載の方法。
【請求項１７】
再送信フィードバックのための利用可能なリソースの総数に基づいて前記インデックスを変更することをさらに備える、請求項１に記載の方法。
【請求項１８】
再送信フィードバックリソースを判断するための装置であって、
物理制御チャネル上でダウンリンクリソース割当てを受信するための手段と、
再送信フィードバックリソースのための領域に関係するオフセットを取得するための手段であって、前記オフセットが、前記物理制御チャネルのタイプに基づいて判断される、取得するための手段と、
前記ダウンリンクリソース割当てと前記オフセットとに関係するリソースのインデックスに基づいて、前記ダウンリンクリソース割当て上で受信された通信のための再送信フィードバックを通信するためのリソースを判断するための手段と、
前記リソース上で前記通信のための再送信フィードバックを送信するための手段とを備える、装置。
【請求項１９】
前記制御チャネルの前記タイプが拡張物理ダウンリンク制御チャネル（ｅ−ＰＤＣＣＨ）であり、前記インデックスは、前記ダウンリンクリソース割当てがそれによって受信されるインデックス、または前記ダウンリンクリソース割当て中の前記リソースのインデックスのうちの１つに対応する、請求項１８に記載の装置。
【請求項２０】
前記インデックスが、前記ｅ−ＰＤＣＣＨによって利用される開始拡張制御チャネル（ｅＣＣＥ）インデックスに対応するｅＣＣＥインデックスである、請求項１９に記載の装置。
【請求項２１】
ｅＣＣＥをインデックス付けするための手段をさらに備え、ｅＣＣＥの前記インデックス付けは、２つ以上のダウンリンクサブフレームが再送信フィードバックのために同じアップリンクサブフレームに関連付けられる連続方法で、前記２つ以上のダウンリンクサブフレームにわたって実行される、請求項２０に記載の装置。
【請求項２２】
ｅＰＤＣＣＨのためのリソースの２つ以上のセットを受信するための手段をさらに備え、前記インデックス付けが、前記２つ以上のセットの各々について別個に実行される、請求項２１に記載の装置。
【請求項２３】
前記オフセットがユニキャストメッセージに基づいて判断される、請求項２０に記載の装置。
【請求項２４】
前記ｅ−ＰＤＣＣＨが、分散ｅ−ＰＤＣＣＨまたは局所ｅ−ＰＤＣＣＨのうちの少なくとも１つである、請求項１９に記載の装置。
【請求項２５】
リソースを判断することが、さらに、前記ｅＰＤＣＣＨによって使用されるアンテナポートインデックスに部分的に基づく、請求項１９に記載の装置。
【請求項２６】
前記ダウンリンクリソース割当てに関係するスクランブリング識別子に少なくとも部分的に基づいて前記リソースを判断するための手段をさらに備える、請求項１９に記載の装置。
【請求項２７】
前記制御チャネルの前記タイプが、レガシー物理ダウンリンク制御チャネル（ＰＤＣＣＨ）であり、前記インデックスは、前記ダウンリンクリソース割当てがそれによって受信されるインデックスのうちの１つに対応する、請求項１８に記載の装置。
【請求項２８】
前記インデックスが、前記ＰＤＣＣＨによって利用される開始制御チャネル要素（ＣＣＥ）インデックスに対応するＣＣＥインデックスである、請求項２７に記載の装置。
【請求項２９】
前記オフセットがブロードキャストメッセージに基づいて判断される、請求項２７に記載の装置。
【請求項３０】
物理制御フォーマット指示チャネル（ＰＣＦＩＣＨ）または拡張物理制御フォーマット指示チャネル（ｅ−ＰＣＦＩＣＨ）のうちの少なくとも１つ上に前記リソースを備える領域のロケーションに関係する情報を受信するための手段であって、前記オフセットが前記ＰＣＦＩＣＨまたは前記ｅ−ＰＣＦＩＣＨに依存する、受信するための手段をさらに備える、請求項１８に記載の装置。
【請求項３１】
前記オフセットがサブフレームにおいて割当てられたいくつかのダウンリンクリソースに一部基づいている、請求項１８に記載の装置。
【請求項３２】
リソースを判断するための前記手段が、複数のリソースを判断するように構成され、前記装置がさらに、
拡張物理ダウンリンク制御チャネル（ｅ−ＰＤＣＣＨ）中のインジケータを取得することと、
前記インジケータに基づいて前記複数のリソースのうちの１つを選択することとを行うように構成された、請求項１８に記載の装置。
【請求項３３】
前記複数のリソースが無線リソース制御（ＲＲＣ）によって構成された、請求項３２に記載の装置。
【請求項３４】
再送信フィードバックのための利用可能なリソースの総数に基づいて前記インデックスを変更するための手段をさらに備える、請求項１８に記載の装置。
【請求項３５】
再送信フィードバックリソースを判断するための装置であって、
物理制御チャネル上でダウンリンクリソース割当てを受信することと、
再送信フィードバックリソースのための領域に関係するオフセットを取得することであって、前記オフセットが、前記物理制御チャネルのタイプに基づいて判断される、取得することと、
前記ダウンリンクリソース割当てと前記オフセットとに関係するリソースのインデックスに基づいて、前記ダウンリンクリソース割当て上で受信された通信のための再送信フィードバックを通信するためのリソースを判断することと、
前記リソース上で前記通信のための再送信フィードバックを送信することと
を行うように構成された処理システムを備える、装置。
【請求項３６】
前記制御チャネルの前記タイプが拡張物理ダウンリンク制御チャネル（ｅ−ＰＤＣＣＨ）であり、前記インデックスは、前記ダウンリンクリソース割当てがそれによって受信されるインデックス、または前記ダウンリンクリソース割当て中の前記リソースのインデックスのうちの１つに対応する、請求項３５に記載の装置。
【請求項３７】
前記インデックスが、前記ｅ−ＰＤＣＣＨによって利用される開始拡張制御チャネル（ｅＣＣＥ）インデックスに対応するｅＣＣＥインデックスである、請求項３６に記載の装置。
【請求項３８】
前記処理システムが、ｅＣＣＥをインデックス付けするようにさらに構成され、ｅＣＣＥのインデックス付けは、２つ以上のダウンリンクサブフレームが再送信フィードバックのために同じアップリンクサブフレームに関連付けられる連続方法で、前記２つ以上のダウンリンクサブフレームにわたって実行される、請求項３７に記載の装置。
【請求項３９】
前記処理システムが、ｅＰＤＣＣＨのためのリソースの２つ以上のセットを受信するようにさらに構成され、前記インデックス付けが、前記２つ以上のセットの各々について別個に実行される、請求項３８に記載の装置。
【請求項４０】
前記オフセットがユニキャストメッセージに基づいて判断される、請求項３７に記載の装置。
【請求項４１】
前記ｅ−ＰＤＣＣＨが、分散ｅ−ＰＤＣＣＨまたは局所ｅ−ＰＤＣＣＨのうちの少なくとも１つである、請求項３６に記載の装置。
【請求項４２】
前記処理システムが、前記ｅＰＤＣＣＨによって使用されるアンテナポートインデックスに部分的に基づいてリソースを判断するように構成された、請求項３６に記載の装置。
【請求項４３】
前記処理システムが、前記ダウンリンクリソース割当てに関係するスクランブリング識別子に少なくとも部分的に基づいて前記リソースを判断するように構成された、請求項３６に記載の装置。
【請求項４４】
前記制御チャネルの前記タイプが、レガシー物理ダウンリンク制御チャネル（ＰＤＣＣＨ）であり、前記インデックスは、前記ダウンリンクリソース割当てがそれによって受信されるインデックスのうちの１つに対応する、請求項３５に記載の装置。
【請求項４５】
前記インデックスが、前記ＰＤＣＣＨによって利用される開始制御チャネル要素（ＣＣＥ）インデックスに対応するＣＣＥインデックスである、請求項４４に記載の装置。
【請求項４６】
前記オフセットがブロードキャストメッセージに基づいて判断される、請求項４４に記載の装置。
【請求項４７】
前記処理システムが、物理制御フォーマット指示チャネル（ＰＣＦＩＣＨ）または拡張物理制御フォーマット指示チャネル（ｅ−ＰＣＦＩＣＨ）のうちの少なくとも１つ上に前記リソースを備える領域のロケーションに関係する情報を受信することであって、前記オフセットが前記ＰＣＦＩＣＨまたは前記ｅ−ＰＣＦＩＣＨに依存する、受信することを行うように構成された、請求項３５に記載の装置。
【請求項４８】
前記オフセットがサブフレームにおいて割当てられたいくつかのダウンリンクリソースに一部基づいている、請求項３５に記載の装置。
【請求項４９】
前記処理システムが、複数のリソースを判断するように構成され、前記装置がさらに、
拡張物理ダウンリンク制御チャネル（ｅ−ＰＤＣＣＨ）中のインジケータを取得することと、
前記インジケータに基づいて前記複数のリソースのうちの１つを選択することとを行うように構成された、請求項３５に記載の装置。
【請求項５０】
前記複数のリソースが無線リソース制御（ＲＲＣ）によって構成された、請求項４９に記載の装置。
【請求項５１】
前記処理システムが、再送信フィードバックのための利用可能なリソースの総数に基づいて前記インデックスを変更するように構成された、請求項３５に記載の装置。
【請求項５２】
再送信フィードバックリソースを判断するためのコンピュータプログラム製品であって、
物理制御チャネル上でダウンリンクリソース割当てを受信することと、
再送信フィードバックリソースのための領域に関係するオフセットを取得することであって、前記オフセットが、前記物理制御チャネルのタイプに基づいて判断される、取得することと、
前記ダウンリンクリソース割当てと前記オフセットとに関係するリソースのインデックスに基づいて、前記ダウンリンクリソース割当て上で受信された通信のための再送信フィードバックを通信するためのリソースを判断することと、
前記リソース上で前記通信のための再送信フィードバックを送信することと
を行うためのコードを備える、コンピュータ可読媒体を備える、コンピュータプログラム製品。
【請求項５３】
前記制御チャネルの前記タイプが拡張物理ダウンリンク制御チャネル（ｅ−ＰＤＣＣＨ）であり、前記インデックスは、前記ダウンリンクリソース割当てがそれによって受信されるインデックス、または前記ダウンリンクリソース割当て中の前記リソースのインデックスのうちの１つに対応する、請求項５２に記載の製品。
【請求項５４】
前記インデックスが、前記ｅ−ＰＤＣＣＨによって利用される開始拡張制御チャネル（ｅＣＣＥ）インデックスに対応するｅＣＣＥインデックスである、請求項５３に記載の製品。
【請求項５５】
ｅＣＣＥをインデックス付けするためのコードをさらに備え、ｅＣＣＥの前記インデックス付けは、２つ以上のダウンリンクサブフレームが再送信フィードバックのために同じアップリンクサブフレームに関連付けられる連続方法で、前記２つ以上のダウンリンクサブフレームにわたって実行される、請求項５４に記載の製品。
【請求項５６】
ｅＰＤＣＣＨのためのリソースの２つ以上のセットを受信することをさらに備え、前記インデックス付けが、前記２つ以上のセットの各々について別個に実行される、請求項５５に記載の製品。
【請求項５７】
前記オフセットがユニキャストメッセージに基づいて判断される、請求項５４に記載の製品。
【請求項５８】
前記ｅ−ＰＤＣＣＨが、分散ｅ−ＰＤＣＣＨまたは局所ｅ−ＰＤＣＣＨのうちの少なくとも１つである、請求項５３に記載の製品。
【請求項５９】
リソースを判断することが、さらに、前記ｅＰＤＣＣＨによって使用されるアンテナポートインデックスに部分的に基づく、請求項５３に記載の製品。
【請求項６０】
前記ダウンリンクリソース割当てに関係するスクランブリング識別子に少なくとも部分的に基づいて前記リソースを判断するためのコードをさらに備える、請求項５３に記載の製品。
【請求項６１】
前記制御チャネルの前記タイプが、レガシー物理ダウンリンク制御チャネル（ＰＤＣＣＨ）であり、前記インデックスは、前記ダウンリンクリソース割当てがそれによって受信されるインデックスのうちの１つに対応する、請求項５２に記載の製品。
【請求項６２】
前記インデックスが、前記ＰＤＣＣＨによって利用される開始制御チャネル要素（ＣＣＥ）インデックスに対応するＣＣＥインデックスである、請求項６１に記載の製品。
【請求項６３】
前記オフセットがブロードキャストメッセージに基づいて判断される、請求項６１に記載の製品。
【請求項６４】
物理制御フォーマット指示チャネル（ＰＣＦＩＣＨ）または拡張物理制御フォーマット指示チャネル（ｅ−ＰＣＦＩＣＨ）のうちの少なくとも１つ上に前記リソースを備える領域のロケーションに関係する情報を受信するためのコードであって、前記オフセットが前記ＰＣＦＩＣＨまたは前記ｅ−ＰＣＦＩＣＨに依存する、受信するためのコードをさらに備える、請求項５２に記載の製品。
【請求項６５】
前記オフセットがサブフレームにおいて割当てられたいくつかのダウンリンクリソースに一部基づいている、請求項５２に記載の製品。
【請求項６６】
複数のリソースを判断するためのコードを備え、さらに
拡張物理ダウンリンク制御チャネル（ｅ−ＰＤＣＣＨ）中のインジケータを取得することと、
前記インジケータに基づいて前記複数のリソースのうちの１つを選択することとを行うためのコードを備える、請求項５２に記載の製品。
【請求項６７】
前記複数のリソースが無線リソース制御（ＲＲＣ）によって構成された、請求項６６に記載の製品。
【請求項６８】
再送信フィードバックのための利用可能なリソースの総数に基づいて前記インデックスを変更するためのコードをさらに備える、請求項５２に記載の製品。
【請求項６９】
再送信フィードバックリソースを判断するための方法であって、
物理制御チャネル上でダウンリンクリソース割当てをデバイスに通信することと、
再送信フィードバックリソースのための領域に関係するオフセットを前記デバイスに通信することであって、前記オフセットが、前記物理制御チャネルのタイプに基づいて判断される、通信することと、
前記ダウンリンクリソース割当てと前記オフセットとに関係するリソースのインデックスに基づいて、前記ダウンリンクリソース割当て上で前記デバイスによって受信された通信のための再送信フィードバックを受信するためのリソースを判断することと、
前記リソース上で前記デバイスから再送信フィードバックを受信することとを備える、方法。
【請求項７０】
前記制御チャネルの前記タイプが拡張物理ダウンリンク制御チャネル（ｅ−ＰＤＣＣＨ）であり、前記インデックスは、前記ダウンリンクリソース割当てがそれによって受信されるインデックス、または前記ダウンリンクリソース割当て中の前記リソースのインデックスのうちの１つに対応する、請求項６９に記載の方法。
【請求項７１】
前記インデックスが、前記ｅ−ＰＤＣＣＨによって利用される開始拡張制御チャネル（ｅＣＣＥ）インデックスに対応するｅＣＣＥインデックスである、請求項７０に記載の方法。
【請求項７２】
ｅＣＣＥをインデックス付けすることをさらに備え、ｅＣＣＥの前記インデックス付けは、２つ以上のダウンリンクサブフレームが再送信フィードバックのために同じアップリンクサブフレームに関連付けられる連続方法で、前記２つ以上のダウンリンクサブフレームにわたって実行される、請求項７１に記載の方法。
【請求項７３】
ｅＰＤＣＣＨのためのリソースの２つ以上のセットを受信することをさらに備え、前記インデックス付けが、前記２つ以上のセットの各々について別個に実行される、請求項７２に記載の方法。
【請求項７４】
前記オフセットがユニキャストメッセージに基づいて判断される、請求項７１に記載の方法。
【請求項７５】
前記ｅ−ＰＤＣＣＨが、分散ｅ−ＰＤＣＣＨまたは局所ｅ−ＰＤＣＣＨのうちの少なくとも１つである、請求項７０に記載の方法。
【請求項７６】
リソースを判断することが、さらに、前記ｅＰＤＣＣＨによって使用されるアンテナポートインデックスに部分的に基づく、請求項７０に記載の方法。
【請求項７７】
前記ダウンリンクリソース割当てに関係するスクランブリング識別子に少なくとも部分的に基づいて前記リソースを判断することをさらに備える、請求項７０に記載の方法。
【請求項７８】
前記制御チャネルの前記タイプが、レガシー物理ダウンリンク制御チャネル（ＰＤＣＣＨ）であり、前記インデックスは、前記ダウンリンクリソース割当てがそれによって受信されるインデックスのうちの１つに対応する、請求項６９に記載の方法。
【請求項７９】
前記インデックスが、前記ＰＤＣＣＨによって利用される開始制御チャネル要素（ＣＣＥ）インデックスに対応するＣＣＥインデックスである、請求項７８に記載の方法。
【請求項８０】
前記オフセットがブロードキャストメッセージに基づいて判断される、請求項７８に記載の方法。
【請求項８１】
物理制御フォーマット指示チャネル（ＰＣＦＩＣＨ）または拡張物理制御フォーマット指示チャネル（ｅ−ＰＣＦＩＣＨ）のうちの少なくとも１つ上に前記リソースを備える領域のロケーションに関係する情報を通信することであって、前記オフセットが前記ＰＣＦＩＣＨまたは前記ｅ−ＰＣＦＩＣＨに依存する、通信することをさらに備える、請求項６９に記載の方法。
【請求項８２】
前記オフセットがサブフレームにおいて割当てられたいくつかのダウンリンクリソースに一部基づいている、請求項６９に記載の方法。
【請求項８３】
リソースを判断することが、複数のリソースを判断することを備え、前記方法がさらに、
拡張物理ダウンリンク制御チャネル（ｅ−ＰＤＣＣＨ）中のインジケータを取得することと、
前記インジケータに基づいて前記複数のリソースのうちの１つを選択することとを備える、請求項６９に記載の方法。
【請求項８４】
前記複数のリソースが無線リソース制御（ＲＲＣ）によって構成された、請求項８３に記載の方法。
【請求項８５】
再送信フィードバックのための利用可能なリソースの総数に基づいて前記インデックスを変更することをさらに備える、請求項６９に記載の方法。
【請求項８６】
再送信フィードバックリソースを判断するための装置であって、
物理制御チャネル上でダウンリンクリソース割当てをデバイスに通信するための手段と、
再送信フィードバックリソースのための領域に関係するオフセットを前記デバイスに通信するための手段であって、前記オフセットが、前記物理制御チャネルのタイプに基づいて判断される、通信するための手段と、
前記ダウンリンクリソース割当てと前記オフセットとに関係するリソースのインデックスに基づいて、前記ダウンリンクリソース割当て上で前記デバイスによって受信された通信のための再送信フィードバックを受信するためのリソースを判断するための手段と、
前記リソース上で前記デバイスから再送信フィードバックを受信するための手段とを備える、装置。
【請求項８７】
前記制御チャネルの前記タイプが拡張物理ダウンリンク制御チャネル（ｅ−ＰＤＣＣＨ）であり、前記インデックスは、前記ダウンリンクリソース割当てがそれによって受信されるインデックス、または前記ダウンリンクリソース割当て中の前記リソースのインデックスのうちの１つに対応する、請求項８６に記載の装置。
【請求項８８】
前記インデックスが、前記ｅ−ＰＤＣＣＨによって利用される開始拡張制御チャネル（ｅＣＣＥ）インデックスに対応するｅＣＣＥインデックスである、請求項８７に記載の装置。
【請求項８９】
ｅＣＣＥをインデックス付けするための手段をさらに備え、ｅＣＣＥの前記インデックス付けは、２つ以上のダウンリンクサブフレームが再送信フィードバックのために同じアップリンクサブフレームに関連付けられる連続方法で、前記２つ以上のダウンリンクサブフレームにわたって実行される、請求項８８に記載の装置。
【請求項９０】
ｅＰＤＣＣＨのためのリソースの２つ以上のセットを受信することをさらに備え、前記インデックス付けが、前記２つ以上のセットの各々について別個に実行される、請求項８９に記載の装置。
【請求項９１】
前記オフセットがユニキャストメッセージに基づいて判断される、請求項８８に記載の装置。
【請求項９２】
前記ｅ−ＰＤＣＣＨが、分散ｅ−ＰＤＣＣＨまたは局所ｅ−ＰＤＣＣＨのうちの少なくとも１つである、請求項８７に記載の装置。
【請求項９３】
リソースを判断することが、さらに、前記ｅＰＤＣＣＨによって使用されるアンテナポートインデックスに部分的に基づく、請求項８７に記載の装置。
【請求項９４】
前記ダウンリンクリソース割当てに関係するスクランブリング識別子に少なくとも部分的に基づいて前記リソースを判断するための手段をさらに備える、請求項８７に記載の装置。
【請求項９５】
前記制御チャネルの前記タイプが、レガシー物理ダウンリンク制御チャネル（ＰＤＣＣＨ）であり、前記インデックスは、前記ダウンリンクリソース割当てがそれによって受信されるインデックスのうちの１つに対応する、請求項８６に記載の装置。
【請求項９６】
前記インデックスが、前記ＰＤＣＣＨによって利用される開始制御チャネル要素（ＣＣＥ）インデックスに対応するＣＣＥインデックスである、請求項９５に記載の装置。
【請求項９７】
前記オフセットがブロードキャストメッセージに基づいて判断される、請求項９５に記載の装置。
【請求項９８】
物理制御フォーマット指示チャネル（ＰＣＦＩＣＨ）または拡張物理制御フォーマット指示チャネル（ｅ−ＰＣＦＩＣＨ）のうちの少なくとも１つ上に前記リソースを備える領域のロケーションに関係する情報を通信するための手段であって、前記オフセットが前記ＰＣＦＩＣＨまたは前記ｅ−ＰＣＦＩＣＨに依存する、通信するための手段をさらに備える、請求項８６に記載の装置。
【請求項９９】
前記オフセットがサブフレームにおいて割当てられたいくつかのダウンリンクリソースに一部基づいている、請求項８６に記載の装置。
【請求項１００】
リソースを判断するための前記手段が、複数のリソースを判断するように構成され、前記装置がさらに、
拡張物理ダウンリンク制御チャネル（ｅ−ＰＤＣＣＨ）中のインジケータを取得することと、
前記インジケータに基づいて前記複数のリソースのうちの１つを選択することとを行うように構成された、請求項８６に記載の装置。
【請求項１０１】
前記複数のリソースが無線リソース制御（ＲＲＣ）によって構成された、請求項１００に記載の装置。
【請求項１０２】
再送信フィードバックのための利用可能なリソースの総数に基づいて前記インデックスを変更するための手段をさらに備える、請求項８６に記載の装置。
【請求項１０３】
再送信フィードバックリソースを判断するための装置であって、
物理制御チャネル上でダウンリンクリソース割当てをデバイスに通信することと、
再送信フィードバックリソースのための領域に関係するオフセットを前記デバイスに通信することであって、前記オフセットが、前記物理制御チャネルのタイプに基づいて判断される、通信することと、
前記ダウンリンクリソース割当てと前記オフセットとに関係するリソースのインデックスに基づいて、前記ダウンリンクリソース割当て上で前記デバイスによって受信された通信のための再送信フィードバックを受信するためのリソースを判断することと、
前記リソース上で前記デバイスから再送信フィードバックを受信することと
を行うように構成された処理システムを備える、装置。
【請求項１０４】
前記制御チャネルの前記タイプが拡張物理ダウンリンク制御チャネル（ｅ−ＰＤＣＣＨ）であり、前記インデックスは、前記ダウンリンクリソース割当てがそれによって受信されるインデックス、または前記ダウンリンクリソース割当て中の前記リソースのインデックスのうちの１つに対応する、請求項１０３に記載の装置。
【請求項１０５】
前記インデックスが、前記ｅ−ＰＤＣＣＨによって利用される開始拡張制御チャネル（ｅＣＣＥ）インデックスに対応するｅＣＣＥインデックスである、請求項１０４に記載の装置。
【請求項１０６】
前記処理システムが、ｅＣＣＥをインデックス付けするようにさらに構成され、ｅＣＣＥの前記インデックス付けは、２つ以上のダウンリンクサブフレームが再送信フィードバックのために同じアップリンクサブフレームに関連付けられる連続方法で、前記２つ以上のダウンリンクサブフレームにわたって実行される、請求項１０５に記載の装置。
【請求項１０７】
前記処理システムが、ｅＰＤＣＣＨのためのリソースの２つ以上のセットを受信するようにさらに構成され、前記インデックス付けが、前記２つ以上のセットの各々について別個に実行される、請求項１０６に記載の装置。
【請求項１０８】
前記オフセットがユニキャストメッセージに基づいて判断される、請求項１０５に記載の装置。
【請求項１０９】
前記ｅ−ＰＤＣＣＨが、分散ｅ−ＰＤＣＣＨまたは局所ｅ−ＰＤＣＣＨのうちの少なくとも１つである、請求項１０４に記載の装置。
【請求項１１０】
前記処理システムが、前記ｅＰＤＣＣＨによって使用されるアンテナポートインデックスに部分的に基づいてリソースを判断するように構成された、請求項１０４に記載の装置。
【請求項１１１】
前記処理システムが、前記ダウンリンクリソース割当てに関係するスクランブリング識別子に少なくとも部分的に基づいて前記リソースを判断するように構成された、請求項１０４に記載の装置。
【請求項１１２】
前記制御チャネルの前記タイプが、レガシー物理ダウンリンク制御チャネル（ＰＤＣＣＨ）であり、前記インデックスは、前記ダウンリンクリソース割当てがそれによって受信されるインデックスのうちの１つに対応する、請求項１０３に記載の装置。
【請求項１１３】
前記インデックスが、前記ＰＤＣＣＨによって利用される開始制御チャネル要素（ＣＣＥ）インデックスに対応するＣＣＥインデックスである、請求項１１２に記載の装置。
【請求項１１４】
前記オフセットがブロードキャストメッセージに基づいて判断される、請求項１１２に記載の装置。
【請求項１１５】
前記処理システムが、物理制御フォーマット指示チャネル（ＰＣＦＩＣＨ）または拡張物理制御フォーマット指示チャネル（ｅ−ＰＣＦＩＣＨ）のうちの少なくとも１つ上に前記リソースを備える領域のロケーションに関係する情報を通信することであって、前記オフセットが前記ＰＣＦＩＣＨまたは前記ｅ−ＰＣＦＩＣＨに依存する、通信することを行うようにさらに構成された、請求項１０３に記載の装置。
【請求項１１６】
前記オフセットがサブフレームにおいて割当てられたいくつかのダウンリンクリソースに一部基づいている、請求項１０３に記載の装置。
【請求項１１７】
前記処理システムが、複数のリソースを判断するように構成され、前記装置がさらに、
拡張物理ダウンリンク制御チャネル（ｅ−ＰＤＣＣＨ）中のインジケータを取得することと、
前記インジケータに基づいて前記複数のリソースのうちの１つを選択することとを行うように構成された、請求項１０３に記載の装置。
【請求項１１８】
前記複数のリソースが無線リソース制御（ＲＲＣ）によって構成された、請求項１１７に記載の装置。
【請求項１１９】
前記処理システムが、再送信フィードバックのための利用可能なリソースの総数に基づいて前記インデックスを変更するようにさらに構成された、請求項１０３に記載の装置。
【請求項１２０】
再送信フィードバックリソースを判断するためのコンピュータプログラム製品であって、
物理制御チャネル上でダウンリンクリソース割当てをデバイスに通信することと、
再送信フィードバックリソースのための領域に関係するオフセットを前記デバイスに通信することであって、前記オフセットが、前記物理制御チャネルのタイプに基づいて判断される、通信することと、
前記ダウンリンクリソース割当てと前記オフセットとに関係するリソースのインデックスに基づいて、前記ダウンリンクリソース割当て上で前記デバイスによって受信された通信のための再送信フィードバックを受信するためのリソースを判断することと、
前記リソース上で前記デバイスから再送信フィードバックを受信することと
を行うためのコードを備える、コンピュータ可読媒体を備える、コンピュータプログラム製品。
【請求項１２１】
前記制御チャネルの前記タイプが拡張物理ダウンリンク制御チャネル（ｅ−ＰＤＣＣＨ）であり、前記インデックスは、前記ダウンリンクリソース割当てがそれによって受信されるインデックス、または前記ダウンリンクリソース割当て中の前記リソースのインデックスのうちの１つに対応する、請求項１２０に記載の製品。
【請求項１２２】
前記インデックスが、前記ｅ−ＰＤＣＣＨによって利用される開始拡張制御チャネル（ｅＣＣＥ）インデックスに対応するｅＣＣＥインデックスである、請求項１２１に記載の製品。
【請求項１２３】
ｅＣＣＥをインデックス付けするためのコードをさらに備え、ｅＣＣＥの前記インデックス付けは、２つ以上のダウンリンクサブフレームが再送信フィードバックのために同じアップリンクサブフレームに関連付けられる連続方法で、前記２つ以上のダウンリンクサブフレームにわたって実行される、請求項１２２に記載の製品。
【請求項１２４】
ｅＰＤＣＣＨのためのリソースの２つ以上のセットを受信することをさらに備え、前記インデックス付けが、前記２つ以上のセットの各々について別個に実行される、請求項１２３に記載の製品。
【請求項１２５】
前記オフセットがユニキャストメッセージに基づいて判断される、請求項１２２に記載の製品。
【請求項１２６】
前記ｅ−ＰＤＣＣＨが、分散ｅ−ＰＤＣＣＨまたは局所ｅ−ＰＤＣＣＨのうちの少なくとも１つである、請求項１２１に記載の製品。
【請求項１２７】
前記ｅＰＤＣＣＨによって使用されるアンテナポートインデックスに部分的に基づいて前記リソースを判断するためのコードをさらに備える、請求項１２１に記載の製品。
【請求項１２８】
前記ダウンリンクリソース割当てに関係するスクランブリング識別子に少なくとも部分的に基づいて前記リソースを判断するためのコードをさらに備える、請求項１２１に記載の製品。
【請求項１２９】
前記制御チャネルの前記タイプが、レガシー物理ダウンリンク制御チャネル（ＰＤＣＣＨ）であり、前記インデックスは、前記ダウンリンクリソース割当てがそれによって受信されるインデックスのうちの１つに対応する、請求項１２０に記載の製品。
【請求項１３０】
前記インデックスが、前記ＰＤＣＣＨによって利用される開始制御チャネル要素（ＣＣＥ）インデックスに対応するＣＣＥインデックスである、請求項１２９に記載の製品。
【請求項１３１】
前記オフセットがブロードキャストメッセージに基づいて判断される、請求項１２９に記載の製品。
【請求項１３２】
物理制御フォーマット指示チャネル（ＰＣＦＩＣＨ）または拡張物理制御フォーマット指示チャネル（ｅ−ＰＣＦＩＣＨ）のうちの少なくとも１つ上に前記リソースを備える領域のロケーションに関係する情報を通信するためのコードであって、前記オフセットが前記ＰＣＦＩＣＨまたは前記ｅ−ＰＣＦＩＣＨに依存する、通信するためのコードをさらに備える、請求項１２０に記載の製品。
【請求項１３３】
前記オフセットがサブフレームにおいて割当てられたいくつかのダウンリンクリソースに一部基づいている、請求項１２０に記載の製品。
【請求項１３４】
複数のリソースを判断するためのコードと、さらに、
拡張物理ダウンリンク制御チャネル（ｅ−ＰＤＣＣＨ）中のインジケータを取得することと、
前記インジケータに基づいて前記複数のリソースのうちの１つを選択することとを行うためのコードとをさらに備える、請求項１２０に記載の製品。
【請求項１３５】
前記複数のリソースが無線リソース制御（ＲＲＣ）によって構成された、請求項１３４に記載の製品。
【請求項１３６】
再送信フィードバックのための利用可能なリソースの総数に基づいて前記インデックスを変更するためのコードをさらに備える、請求項１２０に記載の製品。
【手続補正２】
【補正対象書類名】明細書
【補正対象項目名】０１２８
【補正方法】変更
【補正の内容】
【０１２８】
本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、出願当初の特許請求の範囲に記載された発明を付記する。
［Ｃ１］
再送信フィードバックリソースを判断するための方法であって、
制御チャネル上でダウンリンクリソース割当てを受信することと、
再送信フィードバックリソースのための領域に関係するオフセットを取得することであって、前記オフセットが、前記制御チャネルのタイプに基づいて判断される、取得することと、
前記ダウンリンクリソース割当てと前記オフセットとに関係するリソースのインデックスに基づいて、前記ダウンリンクリソース割当て上で受信された通信のための再送信フィードバックを通信するためのリソースを判断することと、
前記リソース上で前記通信のための再送信フィードバックを送信することとを備える、方法。
［Ｃ２］
前記制御チャネルの前記タイプが拡張物理ダウンリンク制御チャネル（ｅ−ＰＤＣＣＨ）であり、前記インデックスは、前記ダウンリンクリソース割当てがそれによって受信されるインデックス、または前記ダウンリンクリソース割当て中の前記リソースのインデックスのうちの１つに対応する、Ｃ１に記載の方法。
［Ｃ３］
前記インデックスが、前記ｅ−ＰＤＣＣＨによって利用される開始拡張制御チャネル（ｅＣＣＥ）インデックスに対応するｅＣＣＥインデックスである、Ｃ２に記載の方法。
［Ｃ４］
ｅＣＣＥをインデックス付けすることをさらに備え、ｅＣＣＥの前記インデックス付けは、２つ以上のダウンリンクサブフレームが再送信フィードバックのために同じアップリンクサブフレームに関連付けられる連続方法で、前記２つ以上のダウンリンクサブフレームにわたって実行される、Ｃ３に記載の方法。
［Ｃ５］
ｅＰＤＣＣＨのためのリソースの２つ以上のセットを受信することをさらに備え、前記インデックス付けが、前記２つ以上のセットの各々について別個に実行される、Ｃ４に記載の方法。
［Ｃ６］
前記オフセットがユニキャストメッセージに基づいて判断される、Ｃ３に記載の方法。
［Ｃ７］
前記ｅ−ＰＤＣＣＨが、分散ｅ−ＰＤＣＣＨまたは局所ｅ−ＰＤＣＣＨのうちの少なくとも１つである、Ｃ２に記載の方法。
［Ｃ８］
リソースを判断することが、さらに、前記ｅＰＤＣＣＨによって使用されるアンテナポートインデックスに部分的に基づく、Ｃ２に記載の方法。
［Ｃ９］
前記ダウンリンクリソース割当てに関係するスクランブリング識別子に少なくとも部分的に基づいて前記リソースを判断することをさらに備える、Ｃ２に記載の方法。
［Ｃ１０］
前記制御チャネルの前記タイプが、レガシー物理ダウンリンク制御チャネル（ＰＤＣＣＨ）であり、前記インデックスは、前記ダウンリンクリソース割当てがそれによって受信されるインデックスのうちの１つに対応する、Ｃ１に記載の方法。
［Ｃ１１］
前記インデックスが、前記ＰＤＣＣＨによって利用される開始制御チャネル要素（ＣＣＥ）インデックスに対応するＣＣＥインデックスである、Ｃ１０に記載の方法。
［Ｃ１２］
前記オフセットがブロードキャストメッセージに基づいて判断される、Ｃ１０に記載の方法。
［Ｃ１３］
物理制御フォーマット指示チャネル（ＰＣＦＩＣＨ）または拡張物理制御フォーマット指示チャネル（ｅ−ＰＣＦＩＣＨ）のうちの少なくとも１つ上に前記リソースを備える領域のロケーションに関係する情報を受信することであって、前記オフセットが前記ＰＣＦＩＣＨまたは前記ｅ−ＰＣＦＩＣＨに依存する、受信することをさらに備える、Ｃ１に記載の方法。
［Ｃ１４］
前記オフセットがサブフレーム依存である、Ｃ１に記載の方法。
［Ｃ１５］
リソースを判断することが、複数のリソースを判断することを備え、前記方法がさらに、
拡張物理ダウンリンク制御チャネル（ｅ−ＰＤＣＣＨ）中のインジケータを取得することと、
前記インジケータに基づいて前記複数のリソースのうちの１つを選択することとを備える、Ｃ１に記載の方法。
［Ｃ１６］
前記複数のリソースが無線リソース制御（ＲＲＣ）によって構成された、Ｃ１５に記載の方法。
［Ｃ１７］
再送信フィードバックのための利用可能なリソースの総数に基づいて前記インデックスを変更することをさらに備える、Ｃ１に記載の方法。
［Ｃ１８］
再送信フィードバックリソースを判断するための装置であって、
制御チャネル上でダウンリンクリソース割当てを受信するための手段と、
再送信フィードバックリソースのための領域に関係するオフセットを取得するための手段であって、前記オフセットが、前記制御チャネルのタイプに基づいて判断される、取得するための手段と、
前記ダウンリンクリソース割当てと前記オフセットとに関係するリソースのインデックスに基づいて、前記ダウンリンクリソース割当て上で受信された通信のための再送信フィードバックを通信するためのリソースを判断するための手段と、
前記リソース上で前記通信のための再送信フィードバックを送信するための手段とを備える、装置。
［Ｃ１９］
前記制御チャネルの前記タイプが拡張物理ダウンリンク制御チャネル（ｅ−ＰＤＣＣＨ）であり、前記インデックスは、前記ダウンリンクリソース割当てがそれによって受信されるインデックス、または前記ダウンリンクリソース割当て中の前記リソースのインデックスのうちの１つに対応する、Ｃ１８に記載の装置。
［Ｃ２０］
前記インデックスが、前記ｅ−ＰＤＣＣＨによって利用される開始拡張制御チャネル（ｅＣＣＥ）インデックスに対応するｅＣＣＥインデックスである、Ｃ１９に記載の装置。
［Ｃ２１］
ｅＣＣＥをインデックス付けするための手段をさらに備え、ｅＣＣＥの前記インデックス付けは、２つ以上のダウンリンクサブフレームが再送信フィードバックのために同じアップリンクサブフレームに関連付けられる連続方法で、前記２つ以上のダウンリンクサブフレームにわたって実行される、Ｃ２０に記載の装置。
［Ｃ２２］
ｅＰＤＣＣＨのためのリソースの２つ以上のセットを受信するための手段をさらに備え、前記インデックス付けが、前記２つ以上のセットの各々について別個に実行される、Ｃ２１に記載の装置。
［Ｃ２３］
前記オフセットがユニキャストメッセージに基づいて判断される、Ｃ２０に記載の装置。
［Ｃ２４］
前記ｅ−ＰＤＣＣＨが、分散ｅ−ＰＤＣＣＨまたは局所ｅ−ＰＤＣＣＨのうちの少なくとも１つである、Ｃ１９に記載の装置。
［Ｃ２５］
リソースを判断することが、さらに、前記ｅＰＤＣＣＨによって使用されるアンテナポートインデックスに部分的に基づく、Ｃ１９に記載の装置。
［Ｃ２６］
前記ダウンリンクリソース割当てに関係するスクランブリング識別子に少なくとも部分的に基づいて前記リソースを判断するための手段をさらに備える、Ｃ１９に記載の装置。
［Ｃ２７］
前記制御チャネルの前記タイプが、レガシー物理ダウンリンク制御チャネル（ＰＤＣＣＨ）であり、前記インデックスは、前記ダウンリンクリソース割当てがそれによって受信されるインデックスのうちの１つに対応する、Ｃ１８に記載の装置。
［Ｃ２８］
前記インデックスが、前記ＰＤＣＣＨによって利用される開始制御チャネル要素（ＣＣＥ）インデックスに対応するＣＣＥインデックスである、Ｃ２７に記載の装置。
［Ｃ２９］
前記オフセットがブロードキャストメッセージに基づいて判断される、Ｃ２７に記載の装置。
［Ｃ３０］
物理制御フォーマット指示チャネル（ＰＣＦＩＣＨ）または拡張物理制御フォーマット指示チャネル（ｅ−ＰＣＦＩＣＨ）のうちの少なくとも１つ上に前記リソースを備える領域のロケーションに関係する情報を受信するための手段であって、前記オフセットが前記ＰＣＦＩＣＨまたは前記ｅ−ＰＣＦＩＣＨに依存する、受信するための手段をさらに備える、Ｃ１８に記載の装置。
［Ｃ３１］
前記オフセットがサブフレーム依存である、Ｃ１８に記載の装置。
［Ｃ３２］
リソースを判断するための前記手段が、複数のリソースを判断するように構成され、前記装置がさらに、
拡張物理ダウンリンク制御チャネル（ｅ−ＰＤＣＣＨ）中のインジケータを取得することと、
前記インジケータに基づいて前記複数のリソースのうちの１つを選択することとを行うように構成された、Ｃ１８に記載の装置。
［Ｃ３３］
前記複数のリソースが無線リソース制御（ＲＲＣ）によって構成された、Ｃ３２に記載の装置。
［Ｃ３４］
再送信フィードバックのための利用可能なリソースの総数に基づいて前記インデックスを変更するための手段をさらに備える、Ｃ１８に記載の装置。
［Ｃ３５］
再送信フィードバックリソースを判断するための装置であって、
制御チャネル上でダウンリンクリソース割当てを受信することと、
再送信フィードバックリソースのための領域に関係するオフセットを取得することであって、前記オフセットが、前記制御チャネルのタイプに基づいて判断される、取得することと、
前記ダウンリンクリソース割当てと前記オフセットとに関係するリソースのインデックスに基づいて、前記ダウンリンクリソース割当て上で受信された通信のための再送信フィードバックを通信するためのリソースを判断することと、
前記リソース上で前記通信のための再送信フィードバックを送信することと
を行うように構成された処理システムを備える、装置。
［Ｃ３６］
前記制御チャネルの前記タイプが拡張物理ダウンリンク制御チャネル（ｅ−ＰＤＣＣＨ）であり、前記インデックスは、前記ダウンリンクリソース割当てがそれによって受信されるインデックス、または前記ダウンリンクリソース割当て中の前記リソースのインデックスのうちの１つに対応する、Ｃ３５に記載の装置。
［Ｃ３７］
前記インデックスが、前記ｅ−ＰＤＣＣＨによって利用される開始拡張制御チャネル（ｅＣＣＥ）インデックスに対応するｅＣＣＥインデックスである、Ｃ３６に記載の装置。
［Ｃ３８］
前記処理システムが、ｅＣＣＥをインデックス付けするようにさらに構成され、ｅＣＣＥのインデックス付けは、２つ以上のダウンリンクサブフレームが再送信フィードバックのために同じアップリンクサブフレームに関連付けられる連続方法で、前記２つ以上のダウンリンクサブフレームにわたって実行される、Ｃ３７に記載の装置。
［Ｃ３９］
前記処理システムが、ｅＰＤＣＣＨのためのリソースの２つ以上のセットを受信するようにさらに構成され、前記インデックス付けが、前記２つ以上のセットの各々について別個に実行される、Ｃ３８に記載の装置。
［Ｃ４０］
前記オフセットがユニキャストメッセージに基づいて判断される、Ｃ３７に記載の装置。
［Ｃ４１］
前記ｅ−ＰＤＣＣＨが、分散ｅ−ＰＤＣＣＨまたは局所ｅ−ＰＤＣＣＨのうちの少なくとも１つである、Ｃ３６に記載の装置。
［Ｃ４２］
前記処理システムが、前記ｅＰＤＣＣＨによって使用されるアンテナポートインデックスに部分的に基づいてリソースを判断するように構成された、Ｃ３６に記載の装置。
［Ｃ４３］
前記処理システムが、前記ダウンリンクリソース割当てに関係するスクランブリング識別子に少なくとも部分的に基づいて前記リソースを判断するように構成された、Ｃ３６に記載の装置。
［Ｃ４４］
前記制御チャネルの前記タイプが、レガシー物理ダウンリンク制御チャネル（ＰＤＣＣＨ）であり、前記インデックスは、前記ダウンリンクリソース割当てがそれによって受信されるインデックスのうちの１つに対応する、Ｃ３５に記載の装置。
［Ｃ４５］
前記インデックスが、前記ＰＤＣＣＨによって利用される開始制御チャネル要素（ＣＣＥ）インデックスに対応するＣＣＥインデックスである、Ｃ４４に記載の装置。
［Ｃ４６］
前記オフセットがブロードキャストメッセージに基づいて判断される、Ｃ４４に記載の装置。
［Ｃ４７］
前記処理システムが、物理制御フォーマット指示チャネル（ＰＣＦＩＣＨ）または拡張物理制御フォーマット指示チャネル（ｅ−ＰＣＦＩＣＨ）のうちの少なくとも１つ上に前記リソースを備える領域のロケーションに関係する情報を受信することであって、前記オフセットが前記ＰＣＦＩＣＨまたは前記ｅ−ＰＣＦＩＣＨに依存する、受信することを行うように構成された、Ｃ３５に記載の装置。
［Ｃ４８］
前記オフセットがサブフレーム依存である、Ｃ３５に記載の装置。
［Ｃ４９］
前記処理システムが、複数のリソースを判断するように構成され、前記装置がさらに、
拡張物理ダウンリンク制御チャネル（ｅ−ＰＤＣＣＨ）中のインジケータを取得することと、
前記インジケータに基づいて前記複数のリソースのうちの１つを選択することとを行うように構成された、Ｃ３５に記載の装置。
［Ｃ５０］
前記複数のリソースが無線リソース制御（ＲＲＣ）によって構成された、Ｃ４９に記載の装置。
［Ｃ５１］
前記処理システムが、再送信フィードバックのための利用可能なリソースの総数に基づいて前記インデックスを変更するように構成された、Ｃ３５に記載の装置。
［Ｃ５２］
再送信フィードバックリソースを判断するためのコンピュータプログラム製品であって、
制御チャネル上でダウンリンクリソース割当てを受信することと、
再送信フィードバックリソースのための領域に関係するオフセットを取得することであって、前記オフセットが、前記制御チャネルのタイプに基づいて判断される、取得することと、
前記ダウンリンクリソース割当てと前記オフセットとに関係するリソースのインデックスに基づいて、前記ダウンリンクリソース割当て上で受信された通信のための再送信フィードバックを通信するためのリソースを判断することと、
前記リソース上で前記通信のための再送信フィードバックを送信することと
を行うためのコードを備える、コンピュータ可読媒体を備える、コンピュータプログラム製品。
［Ｃ５３］
前記制御チャネルの前記タイプが拡張物理ダウンリンク制御チャネル（ｅ−ＰＤＣＣＨ）であり、前記インデックスは、前記ダウンリンクリソース割当てがそれによって受信されるインデックス、または前記ダウンリンクリソース割当て中の前記リソースのインデックスのうちの１つに対応する、Ｃ５２に記載の製品。
［Ｃ５４］
前記インデックスが、前記ｅ−ＰＤＣＣＨによって利用される開始拡張制御チャネル（ｅＣＣＥ）インデックスに対応するｅＣＣＥインデックスである、Ｃ５３に記載の製品。
［Ｃ５５］
ｅＣＣＥをインデックス付けするためのコードをさらに備え、ｅＣＣＥの前記インデックス付けは、２つ以上のダウンリンクサブフレームが再送信フィードバックのために同じアップリンクサブフレームに関連付けられる連続方法で、前記２つ以上のダウンリンクサブフレームにわたって実行される、Ｃ５４に記載の製品。
［Ｃ５６］
ｅＰＤＣＣＨのためのリソースの２つ以上のセットを受信することをさらに備え、前記インデックス付けが、前記２つ以上のセットの各々について別個に実行される、Ｃ５５に記載の製品。
［Ｃ５７］
前記オフセットがユニキャストメッセージに基づいて判断される、Ｃ５４に記載の製品。
［Ｃ５８］
前記ｅ−ＰＤＣＣＨが、分散ｅ−ＰＤＣＣＨまたは局所ｅ−ＰＤＣＣＨのうちの少なくとも１つである、Ｃ５３に記載の製品。
［Ｃ５９］
リソースを判断することが、さらに、前記ｅＰＤＣＣＨによって使用されるアンテナポートインデックスに部分的に基づく、Ｃ５３に記載の製品。
［Ｃ６０］
前記ダウンリンクリソース割当てに関係するスクランブリング識別子に少なくとも部分的に基づいて前記リソースを判断するためのコードをさらに備える、Ｃ５３に記載の製品。
［Ｃ６１］
前記制御チャネルの前記タイプが、レガシー物理ダウンリンク制御チャネル（ＰＤＣＣＨ）であり、前記インデックスは、前記ダウンリンクリソース割当てがそれによって受信されるインデックスのうちの１つに対応する、Ｃ５２に記載の製品。
［Ｃ６２］
前記インデックスが、前記ＰＤＣＣＨによって利用される開始制御チャネル要素（ＣＣＥ）インデックスに対応するＣＣＥインデックスである、Ｃ６１に記載の製品。
［Ｃ６３］
前記オフセットがブロードキャストメッセージに基づいて判断される、Ｃ６１に記載の製品。
［Ｃ６４］
物理制御フォーマット指示チャネル（ＰＣＦＩＣＨ）または拡張物理制御フォーマット指示チャネル（ｅ−ＰＣＦＩＣＨ）のうちの少なくとも１つ上に前記リソースを備える領域のロケーションに関係する情報を受信するためのコードであって、前記オフセットが前記ＰＣＦＩＣＨまたは前記ｅ−ＰＣＦＩＣＨに依存する、受信するためのコードをさらに備える、Ｃ５２に記載の製品。
［Ｃ６５］
前記オフセットがサブフレーム依存である、Ｃ５２に記載の製品。
［Ｃ６６］
複数のリソースを判断するためのコードを備え、さらに
拡張物理ダウンリンク制御チャネル（ｅ−ＰＤＣＣＨ）中のインジケータを取得することと、
前記インジケータに基づいて前記複数のリソースのうちの１つを選択することとを行うためのコードを備える、Ｃ５２に記載の製品。
［Ｃ６７］
前記複数のリソースが無線リソース制御（ＲＲＣ）によって構成された、Ｃ６６に記載の製品。
［Ｃ６８］
再送信フィードバックのための利用可能なリソースの総数に基づいて前記インデックスを変更するためのコードをさらに備える、Ｃ５２に記載の製品。
［Ｃ６９］
再送信フィードバックリソースを判断するための方法であって、
制御チャネル上でダウンリンクリソース割当てをデバイスに通信することと、
再送信フィードバックリソースのための領域に関係するオフセットを前記デバイスに通信することであって、前記オフセットが、前記制御チャネルのタイプに基づいて判断される、通信することと、
前記ダウンリンクリソース割当てと前記オフセットとに関係するリソースのインデックスに基づいて、前記ダウンリンクリソース割当て上で前記デバイスによって受信された通信のための再送信フィードバックを受信するためのリソースを判断することと、
前記リソース上で前記デバイスから再送信フィードバックを受信することとを備える、方法。
［Ｃ７０］
前記制御チャネルの前記タイプが拡張物理ダウンリンク制御チャネル（ｅ−ＰＤＣＣＨ）であり、前記インデックスは、前記ダウンリンクリソース割当てがそれによって受信されるインデックス、または前記ダウンリンクリソース割当て中の前記リソースのインデックスのうちの１つに対応する、Ｃ６９に記載の方法。
［Ｃ７１］
前記インデックスが、前記ｅ−ＰＤＣＣＨによって利用される開始拡張制御チャネル（ｅＣＣＥ）インデックスに対応するｅＣＣＥインデックスである、Ｃ７０に記載の方法。
［Ｃ７２］
ｅＣＣＥをインデックス付けすることをさらに備え、ｅＣＣＥの前記インデックス付けは、２つ以上のダウンリンクサブフレームが再送信フィードバックのために同じアップリンクサブフレームに関連付けられる連続方法で、前記２つ以上のダウンリンクサブフレームにわたって実行される、Ｃ７１に記載の方法。
［Ｃ７３］
ｅＰＤＣＣＨのためのリソースの２つ以上のセットを受信することをさらに備え、前記インデックス付けが、前記２つ以上のセットの各々について別個に実行される、Ｃ７２に記載の方法。
［Ｃ７４］
前記オフセットがユニキャストメッセージに基づいて判断される、Ｃ７１に記載の方法。
［Ｃ７５］
前記ｅ−ＰＤＣＣＨが、分散ｅ−ＰＤＣＣＨまたは局所ｅ−ＰＤＣＣＨのうちの少なくとも１つである、Ｃ７０に記載の方法。
［Ｃ７６］
リソースを判断することが、さらに、前記ｅＰＤＣＣＨによって使用されるアンテナポートインデックスに部分的に基づく、Ｃ７０に記載の方法。
［Ｃ７７］
前記ダウンリンクリソース割当てに関係するスクランブリング識別子に少なくとも部分的に基づいて前記リソースを判断することをさらに備える、Ｃ７０に記載の方法。
［Ｃ７８］
前記制御チャネルの前記タイプが、レガシー物理ダウンリンク制御チャネル（ＰＤＣＣＨ）であり、前記インデックスは、前記ダウンリンクリソース割当てがそれによって受信されるインデックスのうちの１つに対応する、Ｃ６９に記載の方法。
［Ｃ７９］
前記インデックスが、前記ＰＤＣＣＨによって利用される開始制御チャネル要素（ＣＣＥ）インデックスに対応するＣＣＥインデックスである、Ｃ７８に記載の方法。
［Ｃ８０］
前記オフセットがブロードキャストメッセージに基づいて判断される、Ｃ７８に記載の方法。
［Ｃ８１］
物理制御フォーマット指示チャネル（ＰＣＦＩＣＨ）または拡張物理制御フォーマット指示チャネル（ｅ−ＰＣＦＩＣＨ）のうちの少なくとも１つ上に前記リソースを備える領域のロケーションに関係する情報を通信することであって、前記オフセットが前記ＰＣＦＩＣＨまたは前記ｅ−ＰＣＦＩＣＨに依存する、通信することをさらに備える、Ｃ６９に記載の方法。
［Ｃ８２］
前記オフセットがサブフレーム依存である、Ｃ６９に記載の方法。
［Ｃ８３］
リソースを判断することが、複数のリソースを判断することを備え、前記方法がさらに、
拡張物理ダウンリンク制御チャネル（ｅ−ＰＤＣＣＨ）中のインジケータを取得することと、
前記インジケータに基づいて前記複数のリソースのうちの１つを選択することとを備える、Ｃ６９に記載の方法。
［Ｃ８４］
前記複数のリソースが無線リソース制御（ＲＲＣ）によって構成された、Ｃ８３に記載の方法。
［Ｃ８５］
再送信フィードバックのための利用可能なリソースの総数に基づいて前記インデックスを変更することをさらに備える、Ｃ６９に記載の方法。
［Ｃ８６］
再送信フィードバックリソースを判断するための装置であって、
制御チャネル上でダウンリンクリソース割当てをデバイスに通信するための手段と、
再送信フィードバックリソースのための領域に関係するオフセットを前記デバイスに通信するための手段であって、前記オフセットが、前記制御チャネルのタイプに基づいて判断される、通信するための手段と、
前記ダウンリンクリソース割当てと前記オフセットとに関係するリソースのインデックスに基づいて、前記ダウンリンクリソース割当て上で前記デバイスによって受信された通信のための再送信フィードバックを受信するためのリソースを判断するための手段と、
前記リソース上で前記デバイスから再送信フィードバックを受信するための手段とを備える、装置。
［Ｃ８７］
前記制御チャネルの前記タイプが拡張物理ダウンリンク制御チャネル（ｅ−ＰＤＣＣＨ）であり、前記インデックスは、前記ダウンリンクリソース割当てがそれによって受信されるインデックス、または前記ダウンリンクリソース割当て中の前記リソースのインデックスのうちの１つに対応する、Ｃ８６に記載の装置。
［Ｃ８８］
前記インデックスが、前記ｅ−ＰＤＣＣＨによって利用される開始拡張制御チャネル（ｅＣＣＥ）インデックスに対応するｅＣＣＥインデックスである、Ｃ８７に記載の装置。
［Ｃ８９］
ｅＣＣＥをインデックス付けするための手段をさらに備え、ｅＣＣＥの前記インデックス付けは、２つ以上のダウンリンクサブフレームが再送信フィードバックのために同じアップリンクサブフレームに関連付けられる連続方法で、前記２つ以上のダウンリンクサブフレームにわたって実行される、Ｃ８８に記載の装置。
［Ｃ９０］
ｅＰＤＣＣＨのためのリソースの２つ以上のセットを受信することをさらに備え、前記インデックス付けが、前記２つ以上のセットの各々について別個に実行される、Ｃ８９に記載の装置。
［Ｃ９１］
前記オフセットがユニキャストメッセージに基づいて判断される、Ｃ８８に記載の装置。
［Ｃ９２］
前記ｅ−ＰＤＣＣＨが、分散ｅ−ＰＤＣＣＨまたは局所ｅ−ＰＤＣＣＨのうちの少なくとも１つである、Ｃ８７に記載の装置。
［Ｃ９３］
リソースを判断することが、さらに、前記ｅＰＤＣＣＨによって使用されるアンテナポートインデックスに部分的に基づく、Ｃ８７に記載の装置。
［Ｃ９４］
前記ダウンリンクリソース割当てに関係するスクランブリング識別子に少なくとも部分的に基づいて前記リソースを判断するための手段をさらに備える、Ｃ８７に記載の装置。
［Ｃ９５］
前記制御チャネルの前記タイプが、レガシー物理ダウンリンク制御チャネル（ＰＤＣＣＨ）であり、前記インデックスは、前記ダウンリンクリソース割当てがそれによって受信されるインデックスのうちの１つに対応する、Ｃ８６に記載の装置。
［Ｃ９６］
前記インデックスが、前記ＰＤＣＣＨによって利用される開始制御チャネル要素（ＣＣＥ）インデックスに対応するＣＣＥインデックスである、Ｃ９５に記載の装置。
［Ｃ９７］
前記オフセットがブロードキャストメッセージに基づいて判断される、Ｃ９５に記載の装置。
［Ｃ９８］
物理制御フォーマット指示チャネル（ＰＣＦＩＣＨ）または拡張物理制御フォーマット指示チャネル（ｅ−ＰＣＦＩＣＨ）のうちの少なくとも１つ上に前記リソースを備える領域のロケーションに関係する情報を通信するための手段であって、前記オフセットが前記ＰＣＦＩＣＨまたは前記ｅ−ＰＣＦＩＣＨに依存する、通信するための手段をさらに備える、Ｃ８６に記載の装置。
［Ｃ９９］
前記オフセットがサブフレーム依存である、Ｃ８６に記載の装置。
［Ｃ１００］
リソースを判断するための前記手段が、複数のリソースを判断するように構成され、前記装置がさらに、
拡張物理ダウンリンク制御チャネル（ｅ−ＰＤＣＣＨ）中のインジケータを取得することと、
前記インジケータに基づいて前記複数のリソースのうちの１つを選択することとを行うように構成された、Ｃ８６に記載の装置。
［Ｃ１０１］
前記複数のリソースが無線リソース制御（ＲＲＣ）によって構成された、Ｃ１００に記載の装置。
［Ｃ１０２］
再送信フィードバックのための利用可能なリソースの総数に基づいて前記インデックスを変更するための手段をさらに備える、Ｃ８６に記載の装置。
［Ｃ１０３］
再送信フィードバックリソースを判断するための装置であって、
制御チャネル上でダウンリンクリソース割当てをデバイスに通信することと、
再送信フィードバックリソースのための領域に関係するオフセットを前記デバイスに通信することであって、前記オフセットが、前記制御チャネルのタイプに基づいて判断される、通信することと、
前記ダウンリンクリソース割当てと前記オフセットとに関係するリソースのインデックスに基づいて、前記ダウンリンクリソース割当て上で前記デバイスによって受信された通信のための再送信フィードバックを受信するためのリソースを判断することと、
前記リソース上で前記デバイスから再送信フィードバックを受信することと
を行うように構成された処理システムを備える、装置。
［Ｃ１０４］
前記制御チャネルの前記タイプが拡張物理ダウンリンク制御チャネル（ｅ−ＰＤＣＣＨ）であり、前記インデックスは、前記ダウンリンクリソース割当てがそれによって受信されるインデックス、または前記ダウンリンクリソース割当て中の前記リソースのインデックスのうちの１つに対応する、Ｃ１０３に記載の装置。
［Ｃ１０５］
前記インデックスが、前記ｅ−ＰＤＣＣＨによって利用される開始拡張制御チャネル（ｅＣＣＥ）インデックスに対応するｅＣＣＥインデックスである、Ｃ１０４に記載の装置。
［Ｃ１０６］
前記処理システムが、ｅＣＣＥをインデックス付けするようにさらに構成され、ｅＣＣＥの前記インデックス付けは、２つ以上のダウンリンクサブフレームが再送信フィードバックのために同じアップリンクサブフレームに関連付けられる連続方法で、前記２つ以上のダウンリンクサブフレームにわたって実行される、Ｃ１０５に記載の装置。
［Ｃ１０７］
前記処理システムが、ｅＰＤＣＣＨのためのリソースの２つ以上のセットを受信するようにさらに構成され、前記インデックス付けが、前記２つ以上のセットの各々について別個に実行される、Ｃ１０６に記載の装置。
［Ｃ１０８］
前記オフセットがユニキャストメッセージに基づいて判断される、Ｃ１０５に記載の装置。
［Ｃ１０９］
前記ｅ−ＰＤＣＣＨが、分散ｅ−ＰＤＣＣＨまたは局所ｅ−ＰＤＣＣＨのうちの少なくとも１つである、Ｃ１０４に記載の装置。
［Ｃ１１０］
前記処理システムが、前記ｅＰＤＣＣＨによって使用されるアンテナポートインデックスに部分的に基づいてリソースを判断するように構成された、Ｃ１０４に記載の装置。
［Ｃ１１１］
前記処理システムが、前記ダウンリンクリソース割当てに関係するスクランブリング識別子に少なくとも部分的に基づいて前記リソースを判断するように構成された、Ｃ１０４に記載の装置。
［Ｃ１１２］
前記制御チャネルの前記タイプが、レガシー物理ダウンリンク制御チャネル（ＰＤＣＣＨ）であり、前記インデックスは、前記ダウンリンクリソース割当てがそれによって受信されるインデックスのうちの１つに対応する、Ｃ１０３に記載の装置。
［Ｃ１１３］
前記インデックスが、前記ＰＤＣＣＨによって利用される開始制御チャネル要素（ＣＣＥ）インデックスに対応するＣＣＥインデックスである、Ｃ１１２に記載の装置。
［Ｃ１１４］
前記オフセットがブロードキャストメッセージに基づいて判断される、Ｃ１１２に記載の装置。
［Ｃ１１５］
前記処理システムが、物理制御フォーマット指示チャネル（ＰＣＦＩＣＨ）または拡張物理制御フォーマット指示チャネル（ｅ−ＰＣＦＩＣＨ）のうちの少なくとも１つ上に前記リソースを備える領域のロケーションに関係する情報を通信することであって、前記オフセットが前記ＰＣＦＩＣＨまたは前記ｅ−ＰＣＦＩＣＨに依存する、通信することを行うようにさらに構成された、Ｃ１０３に記載の装置。
［Ｃ１１６］
前記オフセットがサブフレーム依存である、Ｃ１０３に記載の装置。
［Ｃ１１７］
前記処理システムが、複数のリソースを判断するように構成され、前記装置がさらに、
拡張物理ダウンリンク制御チャネル（ｅ−ＰＤＣＣＨ）中のインジケータを取得することと、
前記インジケータに基づいて前記複数のリソースのうちの１つを選択することとを行うように構成された、Ｃ１０３に記載の装置。
［Ｃ１１８］
前記複数のリソースが無線リソース制御（ＲＲＣ）によって構成された、Ｃ１１７に記載の装置。
［Ｃ１１９］
前記処理システムが、再送信フィードバックのための利用可能なリソースの総数に基づいて前記インデックスを変更するようにさらに構成された、Ｃ１０３に記載の装置。
［Ｃ１２０］
再送信フィードバックリソースを判断するためのコンピュータプログラム製品であって、
制御チャネル上でダウンリンクリソース割当てをデバイスに通信することと、
再送信フィードバックリソースのための領域に関係するオフセットを前記デバイスに通信することであって、前記オフセットが、前記制御チャネルのタイプに基づいて判断される、通信することと、
前記ダウンリンクリソース割当てと前記オフセットとに関係するリソースのインデックスに基づいて、前記ダウンリンクリソース割当て上で前記デバイスによって受信された通信のための再送信フィードバックを受信するためのリソースを判断することと、
前記リソース上で前記デバイスから再送信フィードバックを受信することと
を行うためのコードを備える、コンピュータ可読媒体を備える、コンピュータプログラム製品。
［Ｃ１２１］
前記制御チャネルの前記タイプが拡張物理ダウンリンク制御チャネル（ｅ−ＰＤＣＣＨ）であり、前記インデックスは、前記ダウンリンクリソース割当てがそれによって受信されるインデックス、または前記ダウンリンクリソース割当て中の前記リソースのインデックスのうちの１つに対応する、Ｃ１２０に記載の製品。
［Ｃ１２２］
前記インデックスが、前記ｅ−ＰＤＣＣＨによって利用される開始拡張制御チャネル（ｅＣＣＥ）インデックスに対応するｅＣＣＥインデックスである、Ｃ１２１に記載の製品。
［Ｃ１２３］
ｅＣＣＥをインデックス付けするためのコードをさらに備え、ｅＣＣＥの前記インデックス付けは、２つ以上のダウンリンクサブフレームが再送信フィードバックのために同じアップリンクサブフレームに関連付けられる連続方法で、前記２つ以上のダウンリンクサブフレームにわたって実行される、Ｃ１２２に記載の製品。
［Ｃ１２４］
ｅＰＤＣＣＨのためのリソースの２つ以上のセットを受信することをさらに備え、前記インデックス付けが、前記２つ以上のセットの各々について別個に実行される、Ｃ１２３に記載の製品。
［Ｃ１２５］
前記オフセットがユニキャストメッセージに基づいて判断される、Ｃ１２２に記載の製品。
［Ｃ１２６］
前記ｅ−ＰＤＣＣＨが、分散ｅ−ＰＤＣＣＨまたは局所ｅ−ＰＤＣＣＨのうちの少なくとも１つである、Ｃ１２１に記載の製品。
［Ｃ１２７］
前記ｅＰＤＣＣＨによって使用されるアンテナポートインデックスに部分的に基づいて前記リソースを判断するためのコードをさらに備える、Ｃ１２１に記載の製品。
［Ｃ１２８］
前記ダウンリンクリソース割当てに関係するスクランブリング識別子に少なくとも部分的に基づいて前記リソースを判断するためのコードをさらに備える、Ｃ１２１に記載の製品。
［Ｃ１２９］
前記制御チャネルの前記タイプが、レガシー物理ダウンリンク制御チャネル（ＰＤＣＣＨ）であり、前記インデックスは、前記ダウンリンクリソース割当てがそれによって受信されるインデックスのうちの１つに対応する、Ｃ１２０に記載の製品。
［Ｃ１３０］
前記インデックスが、前記ＰＤＣＣＨによって利用される開始制御チャネル要素（ＣＣＥ）インデックスに対応するＣＣＥインデックスである、Ｃ１２９に記載の製品。
［Ｃ１３１］
前記オフセットがブロードキャストメッセージに基づいて判断される、Ｃ１２９に記載の製品。
［Ｃ１３２］
物理制御フォーマット指示チャネル（ＰＣＦＩＣＨ）または拡張物理制御フォーマット指示チャネル（ｅ−ＰＣＦＩＣＨ）のうちの少なくとも１つ上に前記リソースを備える領域のロケーションに関係する情報を通信するためのコードであって、前記オフセットが前記ＰＣＦＩＣＨまたは前記ｅ−ＰＣＦＩＣＨに依存する、通信するためのコードをさらに備える、Ｃ１２０に記載の製品。
［Ｃ１３３］
前記オフセットがサブフレーム依存である、Ｃ１２０に記載の製品。
［Ｃ１３４］
複数のリソースを判断するためのコードと、さらに、
拡張物理ダウンリンク制御チャネル（ｅ−ＰＤＣＣＨ）中のインジケータを取得することと、
前記インジケータに基づいて前記複数のリソースのうちの１つを選択することとを行うためのコードとをさらに備える、Ｃ１２０に記載の製品。
［Ｃ１３５］
前記複数のリソースが無線リソース制御（ＲＲＣ）によって構成された、Ｃ１３４に記載の製品。
［Ｃ１３６］
再送信フィードバックのための利用可能なリソースの総数に基づいて前記インデックスを変更するためのコードをさらに備える、Ｃ１２０に記載の製品。